(57)【特許請求の範囲】
【請求項１】
隣接する二つの部材を一体に接合する継手であって、前記一方の部材に設けられる嵌合部材を有する雄型継手と、前記他方の部材に設けられるとともに、前記雄型継手と相互に嵌合する被嵌合部材を有する雌型継手と、前記雄型継手に設けられるとともに、前記嵌合部材と前記被嵌合部材とを締結する締結手段とを備えてなり、前記締結手段は、前記嵌合部材に設けられる雄ネジ部と、該雄ネジ部に螺合される雌ネジ部と、該雌ネジ部に一体に設けられるプーリーと、軸方向の一端面にハンドルの係合突起が係合する係合穴を備えて回転可能に設けられ、前記係合穴に前記係合突起を係合させて前記ハンドルを回転させることによって回転する巻取り部材と、前記プーリーと前記巻取り部材との間に巻回される索状部材とを備えてなることを特徴とする継手。
【請求項２】
隣接する二つの部材を一体に接合する継手であって、前記一方の部材に設けられる嵌合部材を有する雄型継手と、前記他方の部材に設けられるとともに、前記雄型継手と相互に嵌合する被嵌合部材を有する雌型継手と、前記雄型継手に設けられるとともに、前記嵌合部材と前記被嵌合部材とを締結する締結手段とを備えてなり、前記締結手段は、前記嵌合部材に設けられる雄ネジ部と、該雄ネジ部に螺合される雌ネジ部と、該雌ネジ部に一体に設けられるプーリーと、回転可能に設けられた繰出し部材と、軸方向の一端面にハンドルの係合突起が係合する係合穴を備えて回転可能に設けられ、前記係合穴に前記係合突起を係合させて前記ハンドルを回転させることによって回転する巻取り部材と、前記繰出し部材と前記プーリーと前記巻取り部材との間に巻回される索状部材とを備えてなることを特徴とする継手。
【請求項３】
請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを掴持手段によって繋ぎ合わせたことを特徴とする継手。
【請求項４】
請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを係合手段によって繋ぎ合わせたことを特徴とする継手。
【請求項５】
請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを掛着手段によって繋ぎ合わせたことを特徴とする継手。
【請求項６】
請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材との端部とを掴持手段によって繋ぎ合わせたことを特徴とする継手。
【請求項７】
請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材の端部とを係合手段によって繋ぎ合わせたことを特徴とする継手。
【請求項８】
請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材の端部とを掛着手段によって繋ぎ合わせたことを特徴とする継手。
【発明の詳細な説明】
【０００１】
【発明の属する技術分野】
本発明は、継手に関し、詳しくは、隣接する二つの部材、例えば地下鉄のトンネル等の掘削した部分の内面に設けられる複数のセグメントの隣接するもの同士を一体に接合するのに有効な継手に関するものである。
【０００２】
【従来の技術】
一般に、シールド工法等により地下鉄のトンネル等を構築する場合には、掘削した部分の内面にスチール型セグメント、中詰コンクリート型セグメント、コンクリート型セグメント等のセグメントを設け、掘削した部分を被覆し、支持している。
【０００３】
この種のセグメントの一例が図１１に示されている。このセグメント６０は、中詰コンクリート型セグメントであって、円弧板状のコンクリート製のセグメント本体６１と、セグメント本体６１の長手方向の両端面に一体に設けられる長方形板状の金属製の長手方向接合板６２、６２と、セグメント本体６１の幅方向の両端面に一体に設けられる円弧板状の金属製の幅方向接合板６３、６３と、セグメント本体６１の外表面に一体に設けられる被覆板６４とからなるものであって、各長手向接合６２板及び各幅方向接合板６３にはそれぞれネジ挿通用の孔６２ａ、６３ａが貫通した状態で設けられ、各ネジ挿通用の孔６２ａ、６３ａに対応するセグメント本体６１の部分にはそれぞれ所定の大きさ、深さのネジ締付け用の穴６５が設けられるようになっている。
【０００４】
そして、上記のような構成のセグメント６０を、トンネル等の掘削した部分の内面に周方向に連続して設け、周方向に隣接するセグメント６０の各ネジ締付け用の穴６５を利用し、長手方向接合板６２のネジ挿通用の孔６２ａ、６２ａ間に継手のボルト（図示せず）を挿通させ、ボルトのネジ部に継手のナット（図示せず）を螺合させて締め付け、周方向に隣接するセグメント６０、６０同士を一体に接合し、同一周上にリング状のセグメントリング体を構成する。
【０００５】
そして、このようなセグメントリング体を掘削方向に連続して設け、掘削方向に隣接するセグメントリング体のセグメント６０、６０同士を同様の方法によって一体に接合し、掘削した部分の内面の全体を複数のセグメント６０、６０……で被覆する。このようにして、掘削した部分の内面を複数のセグメント６０、６０……で支持することができるものである。
【０００６】
【発明が解決しようとする課題】
しかしながら、上記のような構成のセグメント６０にあっては、コンクリート製のセグメント本体６１の複数箇所にネジ締付け用の穴６５が設けられているので、セグメント本体６１の強度が低下してしまう。このため、掘削した部分の内面に複数のセグメント６０、６０……を設けた後に、各セグメント６０のネジ締付け用の穴６５を充填材によって閉塞し、各セグメント本体６１の強度を確保しなければならず、その作業に手間がかかり、工期の長期化の原因となる。
【０００７】
また、周方向及び掘削方向に隣接するセグメント６０、６０の長手方向接合板６２及び幅方向接合板６３同士を接合する場合に、その作業を狭い空間であるネジ締付け用の孔６５を利用して行わなければならないため、作業効率が悪く、工期の長期化の原因となる。
【０００８】
本発明は、上記のような問題に鑑みなされたものであって、隣接する二つの部材、例えばトンネル等の掘削した部分の内面に設けられる複数のセグメントの隣接するもの同士の接合に用いた場合に、隣接するセグメント同士を一体に接合した後の強度確保のための作業が一切不要であり、また、隣接するセグメント同士の接合が容易であって、作業効率が良く、工期を大幅に短縮することができる継手を提供することを目的とするものである。
【０００９】
【課題を解決するための手段】
上記のような課題を解決するために、本発明は、以下のような手段を採用している。
すなわち、本発明による請求項１記載の継手は、隣接する二つの部材を一体に接合する継手であって、前記一方の部材に設けられる嵌合部材を有する雄型継手と、前記他方の部材に設けられるとともに、前記雄型継手と相互に嵌合する被嵌合部材を有する雌型継手と、前記雄型継手に設けられるとともに、前記嵌合部材と前記被嵌合部材とを締結する締結手段とを備え、前記締結手段は、前記嵌合部材に設けられる雄ネジ部と、該雄ネジ部に螺合される雌ネジ部と、該雌ネジ部に一体に設けられるプーリーと、軸方向の一端面にハンドルの係合突起が係合する係合穴を備えて回転可能に設けられ、前記係合穴に前記係合突起を係合させて前記ハンドルを回転させることによって回転する巻取り部材と、前記プーリーと前記巻取り部材との間に巻回される索状部材とを備えてなることを特徴とするものである。
【００１０】
この発明による継手によれば、嵌合部材と被嵌合部材とを相互に嵌合させるとともに、両者を締結手段によって締結することにより隣接する二つの部材が一体に接合されることになる。また、嵌合部材と被嵌合部材とを相互に嵌合させ、この状態でプーリーと巻取り部材との間に巻回されている索状部材を巻取り部材に巻き取ることによりプーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１１】
請求項２記載の発明は、隣接する二つの部材を一体に接合する継手であって、前記一方の部材に設けられる嵌合部材を有する雄型継手と、前記他方の部材に設けられるとともに、前記雄型継手と相互に嵌合する被嵌合部材を有する雌型継手と、前記雄型継手に設けられるとともに、前記嵌合部材と前記被嵌合部材とを締結する締結手段とを備え、前記締結手段は、前記嵌合部材に設けられる雄ネジ部と、該雄ネジ部に螺合される雌ネジ部と、該雌ネジ部に一体に設けられるプーリーと、回転可能に設けられた繰出し部材と、軸方向の一端面にハンドルの係合突起が係合する係合穴を備えて回転可能に設けられ、前記係合穴に前記係合突起を係合させて前記ハンドルを回転させることによって回転する巻取り部材と、前記繰出し部材と前記プーリーと前記巻取り部材との間に巻回される索状部材とを備えてなることを特徴とするものである。この発明による継手によれば、嵌合部材と被嵌合部材とを相互に嵌合させ、この状態で巻取り部材に索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１２】
請求項３記載の発明は、請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを掴持手段によって繋ぎ合わせたことを特徴とする。
この発明による継手によれば、嵌合部材と被嵌合部材とを相互に嵌合させ、繰出し側索状部材の端部と巻取り側索状部材の端部とを掴持手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材に一体に接合されることになる。
【００１３】
請求項４記載の発明は、請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを係合手段によって繋ぎ合わせたことを特徴とする。
この発明による継手によれば、嵌合部材と被嵌合部材とを相互に嵌合させ、繰出し側索状部材の端部と巻取り側索状部材の端部とを係合手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１４】
請求項５記載の発明は、請求項１記載の継手であって、前記索状部材は、前記プーリーの周囲に巻回される繰出し側索状部材と、前記巻取り部材の周囲に巻回される巻取り側索状部材とからなり、前記繰出し側索状部材の端部と前記巻取り側索状部材の端部とを掛着手段によって繋ぎ合わせたことを特徴とする。
この発明による継手によれば、嵌合部材と被嵌合部材とを相互に嵌合させ、繰出し側索状部材の端部と巻取り側索状部材の端部とを掛着手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１５】
請求項６記載の発明は、請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材との端部とを掴持手段によって繋ぎ合わせたことを特徴とする。
この発明による継手によれば、嵌合部材と被嵌合部材とを相互に嵌合させ、繰出し側索状部材の端部と巻取り側索状部材の端部とを掴持手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１６】
請求項７記載の発明は、請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材の端部とを係合手段によって繋ぎ合わせたことを特徴とする。
この発明による継手によれば、嵌合部材と被嵌合部材とを相互に嵌合させ、繰出し側索状部材の端部と巻取り側索状部材の端部とを係合手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材に一体に接合されることになる。
【００１７】
請求項８記載の発明は、請求項２記載の継手であって、前記索状部材は、前記繰出し部材の周囲と前記プーリーの周囲との間に巻回される繰出し側索状部材と、前記巻取り部材の周囲に巻回される巻取り側索状部材とからなり、前記繰出し側索状部材の端部と前記巻取り側索状部材の端部とを掛着手段によって繋ぎ合わせたことを特徴とする。
この発明による継手によれば、嵌合部材と被嵌合部材とを相互に嵌合させ、繰出し側索状部材と巻取り側索状部材とを掛着手段によって繋ぎ合わせ、この状態で巻取り部材に巻取り側索状部材を巻き取ると、プーリーと雌ネジ部とが一体に回転し、雌ネジ部が雄ネジ部に締め付けられ、嵌合部材が雄型継手の方向に引き込まれ、嵌合部材と被嵌合部材とが強く嵌合し、隣接する二つの部材が一体に接合されることになる。
【００１８】
【発明の実施の形態】
以下、図面に示す本発明の実施の形態について説明する。
図１〜図６には、本発明による継手の一実施の形態が示されていて、この継手１は、隣接する二つの部材を一体に接合する場合に用いられるものであって、雄型継手２と雌型継手２７とを備えている。
【００１９】
雄型継手２は、隣接する一方の部材の接合部に設けられるものであって、嵌合部材３と、嵌合部材３に設けられる締結手段９と、嵌合部材３及び締結手段９を保持するケース２０とを備えている。
【００２０】
嵌合部材３は、棒状をなすものであって、軸線方向の一端から他端にかけて円錐台形状の第１突起４、第１突起４の最大径部よりも小径の円柱状の嵌合部５、最大径部が嵌合部５よりも大径の円錐台形状の第２突起６、及び第２突起６の最大径部よりも小径であって周面に雄ネジ８が螺設される円柱状の雄ネジ部７が連続して設けられるようになっている。
【００２１】
締結手段９は、嵌合部材３の雄ネジ部７に螺着される雌ネジ部１０と、雌ネジ部１０に一体に設けられるプーリー１２と、図４、図５に示すプーリー１２の近傍に回転可能に設けられた巻取り部材１４と、プーリー１２と巻取り部材１４との間に巻回される索状部材１７とを備えている。
【００２２】
雌ネジ部１０は、内周面に嵌合部材３の雄ネジ部７の雄ネジ８と相互に螺合可能な雌ネジ１１が螺設される六角ナット状をなすものであって、内周面の雌ネジ１１を嵌合部材３の雄ネジ８に螺合させることで嵌合部材１１に取り付けられるようになっている。
【００２３】
プーリー１２は、周面に所定の深さ、幅の溝１３が全周に渡って設けられる円板状をなすものであって、中心部に雌ネジ部１０が軸線を一致させた状態で溶接等により一体に取り付けられるようになっている。
【００２４】
巻取り部材１４は、円柱状に形成されるものであって、軸線がプーリー１２の軸線と直交するようにプーリー１２に連設されるようになっている。巻取り部材１４は、図示しない軸受等により回転自在に支持されるようになっている。
【００２５】
索状部材１７は、一端がプーリー１２側に連結されるとともに、プーリー１２の溝１３内を複数巻回してプーリー１２から引き出され、巻取り部材１４の周面を複数巻回して他端が巻取り部材１４側に連結されるようになっている。従って、巻取り部材１４を回転させて巻取り部材１４に索状部材１７を巻回させると、それに追従してプーリー１２の溝１３内から索状部材１７が繰り出されるとともに、索状部材１７が繰り出されるのに追従してプーリー１２と雌ネジ部１０とが一体に回転し、雌ネジ部１０が嵌合部材３の雄ネジ部７に締め付けられることになる。索状部材１７としては、ロープ、チェーン、Ｖベルト等が挙げられる。この実施の形態においては、索状部材１７にＰＣ鋼線、ＰＣ鋼より線等からなるロープを使用している。
【００２６】
ケース２０は、カップ状をなすケース本体２１と、ケース本体２１の開口部を閉塞する蓋２３とからなるものであって、内部に締結手段９の雌ネジ部１０、プーリー１２、巻取り部材１４、及び索状部材１７が収納されるようになっている。
【００２７】
締結手段９の雌ネジ部１０及びプーリー１２は、ケース本体２１の内面と蓋２３の内面との間で回転自在に支持されるとともに、軸線方向への移動が制限されるようになっている。巻取り部材１４は、ケース本体２１に設けられる軸受等（図示せず）によって回転自在に支持されるようになっている。巻取り部材１４の軸方向の一端面には六角形状の係合穴１５が設けられ、この係合穴１５に対応するケース本体２１の部分にはケース２０内外を貫通するハンドル挿通用の孔２２が設けられ、このハンドル挿通用の孔２２を介して巻取り部材１４の係合穴１５内にハンドル２５の先端部の六角形状の係合突起２６が係合されるようになっている。
【００２８】
ケース２０の蓋２３の中央部にはケース２０内外を貫通する嵌合部材挿通用の孔２４が設けられ、この嵌合部材挿通用の孔２４内を介してケース２０外に位置する嵌合部材３の雄ネジ部７がケース２０内の雌ネジ部１０に螺合されるようになっている。
【００２９】
雌型継手２７は、隣接する他方の部材に設けられるものであって、カップ状をなすケース本体２９と、ケース本体２９の開口部を閉塞する蓋３０とからなるケース２８と、ケース２８内に対向して設けられる被嵌合部材である一対の被嵌合板３２、３２と、各被嵌合板３２とケース本体２９との間にそれぞれ設けられる付勢部材３５とを備えている。
【００３０】
ケース２８の蓋３０の中央部にはケース２８内外を貫通する嵌合部材挿通用の孔３１が設けられ、この嵌合部材挿通用の孔３１を介して雄型継手２の嵌合部材３がケース２８内に挿入されるようになっている。
【００３１】
各被嵌合板３２は、雄型継手２の嵌合部材３の挿入方向と直交する方向にスライド可能となっている。各被嵌合板３２は、付勢部材３５の付勢力によって相手方の方向（互いに接近する方向）に付勢されるようになっている。付勢部材３５としては、圧縮スプリング、ゴム状弾性体等（この実施の形態においては圧縮スプリング）が挙げられるが、これに限定することなく同様の機能を有するものであれば良いものである。
【００３２】
図３に示すように、各被嵌合板３２の相手方との対向部にはＵ字形状の被嵌合溝３３がそれぞれ貫通した状態で設けられ、この被嵌合溝３３の幅は嵌合部材３の第１突起４の最大径部よりも小さく、嵌合部５の径よりもやや大きく形成されるようになっている。
【００３３】
一方の被嵌合板３２の一側面は所定の角度の傾斜面３４に形成され、この傾斜面３４に対応する他方の被嵌合板３２の他側面は前記傾斜面３４と同一角度で逆方向に傾斜する傾斜面３４に形成され、両傾斜面３４、３４を互いに密着させた状態で両被嵌合板３２、３２はスライドするようになっている。
【００３４】
そして、上記のような構成の雄型継手２と雌型継手２７とからなる継手１を用いて隣接する二つの部材、例えば、トンネル等の掘削した部分の内面に設けられる複数のセグメントの隣接するもの同士を一体に接合するには、図６に示すように、セグメント３６が円弧状の板状のコンクリート製のセグメント本体３７と、セグメント本体３７の長手方向の両端面に一体に設けられる金属製の長手方向接合板３８、３８と、セグメント本体３７の幅方向の両端面に一体に設けられる金属製の幅方向接合板３９、３９と、セグメント本体３７の外表面に一体に設けられる金属製の被覆板４０とからなる中詰コンクリート型のセグメントである場合には、セグメント３６の幅方向の一方の接合部４１に雄型継手２を設け、幅方向の他方の接合部４２に雌型継手２７を設ける。
【００３５】
具体的には、長手方向接合板３８、３８、幅方向接合板３９、３９、及び被覆板４０を組み立て、それらの内側にコンクリートを打設してセグメント本体３７を形成する際に、予め所定の位置に雄型継手２及び雌型継手２７を設けておき、セグメント３６の幅方向の一方の接合部４１に雄型継手２を埋設し、幅方向の他方の接合部４２に雌型継手２７を埋設する。
【００３６】
この場合、図１に示すように、予め雄型継手２のケース２０の嵌合部材挿通用の孔２４に対応する一方の幅方向接合板３９の部分に、その嵌合部材挿通用の孔２４に連通する嵌合部材挿通用の孔３９ａを貫通した状態で設けておき、雌型継手２７のケース２８の嵌合部材挿通用の孔３１に対応する他方の幅方向接合板３９の部分に、その嵌合部材挿通用の孔３１に連通する嵌合部材挿通用の孔３９ａを貫通した状態で設けておく。
【００３７】
そして、上記のように構成したセグメント３６をトンネル等の掘削した部分の内面に位置し、図１及び図６に示すように、掘削方向に隣接する二つのセグメント３６、３６の幅方向の端面同士を相対的に接近させ、図２に示すように、一方のセグメント３６の雄型継手２の嵌合部材３の第１突起４を他方のセグメント３６の雌型継手２７の一対の被嵌合板３２、３２の被嵌合溝３３、３３内を挿通させ、嵌合部材３の嵌合部５を被嵌合溝３３、３３内に嵌合させる。この場合、一対の被嵌合板３２、３２は、嵌合部材３の第１突起４によって押圧されて付勢部材３５の付勢力に抗して互いに離間する方向にスライドして第１突起４の挿通を許容し、第１突起４の最大径部が被嵌合溝３３、３３を通過したときに付勢部材３５の付勢力によって互いに接近する方向にスライドして被嵌合溝３３、３３内に嵌合部材３の嵌合部５を嵌合させることになる。
【００３８】
そして、嵌合部材３と一対の被嵌合板３２、３２とを相互に嵌合させた後に、雄型継手２側のハンドル挿通用の孔２２を介してケース２０内にハンドル２５の先端部を挿入し、ハンドル２５の先端部の係合突起２６を巻取り部材１４の係合穴１５に係合させる。そして、ハンドル２５を回転させて巻取り部材１４を回転させて巻取り部材１４に索状部材１７を巻き取り、プーリー１２側から索状部材１７を繰り出させ、プーリー１２と雌ネジ部１０とを一体に回転させる。雌ネジ部１０を回転させると、雌ネジ部１０が嵌合部材３の雄ネジ部７に締め付けられ、嵌合部材３が雄型継手２の方向に引き込まれ、嵌合部材３の第１突起４の後端面が被嵌合板３２、３２の側面に当接し、第２突起６の後端面が一方の幅方向接合板３９に当接し、嵌合部材３と被嵌合部材である一対の被嵌合板３２、３２とが強く嵌合し、隣接する二つのセグメント３６、３６が一体に接合されることになる。なお、索状部材１７は、雌ネジ部１０を雄ネジ部７に締め付けた後に切断するものとする。
【００３９】
従って、隣接する二つのセグメント３６、３６同士を一体に接合する場合に、雌型継手２７の被嵌合部材である被嵌合板３２、３２と雄型継手２の嵌合部材３とを互いに嵌合させ、この後に雄型継手２の巻取り部材１４をハンドル２５を介して回転させて、雌ネジ部１０を雄ネジ部７に締め付けるだけでよいので、隣接する二つのセグメント３６、３６の接合が容易となり、工期を大幅に短縮することができることになる。又、雄型継手２及び雌型継手２７はセグメント３６の接合部４１、４２に埋設されているので、隣接する二つのセグメント３６、３６を一体に接合した後に、強度を確保するために充填材を充填するような作業が一切不要となり、これによっても工期を大幅に短縮することができることになる。
【００４０】
図７には、本発明による継手の一実施の形態の変形例が示されている。この継手１は、索状部材１７を、プーリー１２側に巻回される繰出し側索状部材１８と、巻取り部材１４側に巻回される巻取り側索状部材１９との２つに分割し、繰出し側索状部材１８の端部と巻取り側索状部材１９の端部とを掴持手段４５によって繋ぎ合わせるように構成したものである。この場合、掴持手段４５は、繰出し側索状部材１８の端部に一体に設けられる繰出し側索状部材１８よりも大径の掴み部４６と、巻取り側索状部材１９の端部に一体に設けられる掴持部材４７とからなり、掴持部材４７は掴み部４６を掴持する一対の爪４８、４８と、一対の爪４８、４８を掴持方向に付勢するバネ４９とを備えている。
【００４１】
図８には、本発明による継手の一実施の形態の他の変形例が示されていて、この継手１は、索状部材１７を、プーリー１２側に巻回される繰出し側索状部材１８と、巻取り部材１４側に巻回される巻取り側索状部材１９との２つに分割し、繰出し側索状部材１８の端部と巻取り側索状部材１９の端部とを係合手段５０によって繋ぎ合わせるように構成したものである。この場合、係合手段５０は、繰出し側索状部材１８の端部に一体に設けられる繰出し側索状部材１８よりも大径の係合部５１と、巻取り側索状部材１９の端部に一体に設けられる係合部材５２とからなり、係合部材５２は、係合部５１を係合させるＴ形状の係合溝５３を備えている。
【００４２】
図９には、本発明による継手の一実施の形態の他の変形例が示されていて、この継手１は、索状部材１７を、プーリー１２側に巻回される繰出し側索状部材１８と、巻取り部材１４側に巻回される巻取り側索状部材１９との２つに分割し、繰出し側索状部材１８の端部と巻取り側索状部材１９との端部とを掛着手段５４によって繋ぎ合わせるように構成したものである。この場合、掛着手段５４は、繰出し側ロープ１８の端部に一体に設けられるリング状の掛着部５５と、掛着部５５に掛着される巻取り部材１９の端部に一体に設けられるフック状の掛着部材５６とを備えている。
【００４３】
そして、このような各種の変形例にあっても、前述した一実施の形態に示すものと同様の作用効果を奏し、隣接する二つのセグメント３６、３６同士を一体に接合する場合に、雌型継手２７の被嵌合部材である被嵌合板３２、３２と雄型継手２の嵌合部材３とを互いに嵌合させ、この後に雄型継手２の巻取り部材１４をハンドル２５を介して回転させて、雌ネジ部１０を雄ネジ部７に締め付けるだけでよいので、隣接する二つのセグメント３６、３６の接合が容易となり、工期を大幅に短縮することができることになる。又、雄型継手２及び雌型継手２７はセグメント３６の接合部４１、４２に埋設されているので、隣接する二つのセグメント３６、３６を一体に接合した後に、強度を確保するために充填材を充填するような作業が一切不要となり、これによっても工期を大幅に短縮することができることになる。
【００４４】
図１０には、本発明による継手の他の実施の形態の部分図が示されていて、この継手１は、プーリー１２の近傍に回転可能に繰出し部材１６を設け、索状部材１７の一端を繰出し部材１６に連結し、索状部材１７を繰出し部材１６の周囲を複数巻回させて繰出し部材１６から引き出し、プーリー１２の溝１３内を複数巻回させてプーリー１２から引き出し、巻き取り部材１４を複数巻回させて索状部材１７の他端を巻取り部材１４に連結したものであって、その他の構成は前述した実施の形態に示すものと同様である。
【００４５】
そして、この実施の形態に示す継手にあっても、前述した実施の形態に示すものと同様に、ハンドル２５を回転させて巻取り部材１４を回転させて巻取り部材１４に索状部材１７を巻き取り、繰出し部材１６及びプーリー１２から索状部材１７を繰り出させると、プーリー１２と雌ネジ部１０とが一体に回転し、雌ネジ部１０が嵌合部材３の雄ネジ部７に締め付けられ、嵌合部材３が雄型継手２の方向に引き込まれ、嵌合部材３の第１突起４の後端面が被嵌合板３２、３２の側面に当接し、第２突起６の後端面が一方の幅方向接合板３９に当接し、嵌合部材３と被嵌合部材である一対の被嵌合板３２、３２とが強く嵌合し、隣接する二つのセグメント３６、３６が一体に接合されることになる。なお、この場合にも、索状部材１７は、雌ネジ部１０を雄ネジ部７に締め付けた後に切断するものとする。
【００４６】
従って、隣接する二つのセグメント３６、３６同士を一体に接合する場合に、雌型継手２７の被嵌合部材である被嵌合板３２、３２と雄型継手２の嵌合部材３とを互いに嵌合させ、この後に雄型継手２の巻取り部材１４をハンドル２５を介して回転させて、雌ネジ部１０を雄ネジ部７に締め付けるだけでよいので、隣接する二つのセグメント３６、３６の接合が容易となり、工期を大幅に短縮することができることになる。又、雄型継手２及び雌型継手２７はセグメント３６の接合部４１、４２に埋設されているので、隣接する二つのセグメント３６、３６を一体に接合した後に、強度を確保するために充填材を充填するような作業が一切不要となり、これによっても工期を大幅に短縮することができることになる。
【００４７】
なお、この実施の形態においても、前述した実施の形態の変形例と同様に、図示はしないが、索状部材１７を繰出し側索状部材と巻取り側索状部材との２つに分割し、両索状部材の端部同士を掴持手段、係合手段、掛着手段によって繋ぎ合わせるように構成しても良いものであり、その場合にも前述した変形例を同様の作用効果を奏することは勿論のことである。
【００４８】
【発明の効果】
以上説明したように、本発明による継手によれば、隣接する二つの部材同士を一体に接合する場合に、雌型継手の被嵌合部材と雄型継手の嵌合部材とを互いに嵌合させ、この状態で締結手段によって被嵌合部材と嵌合部材とを締結するだけで足りるので、隣接する二部の部材の部材の接合が容易となり、隣接する二つの部材がトンネル等の掘削した部分の内面に設けられるセグメントである場合には、工期を大幅に短縮することができることになる。
また、巻取り部材を回転させて巻取り部材に索状部材を巻き取り、プーリーから索状部材を繰出させてプーリーと一体に雌ネジ部を回転させ、雌ネジ部を雄ネジ部に締め付け、嵌合部材を雄型継手に方向に引き込み、嵌合部材と被嵌合部材とを締結させることで、隣接する二つの部材、例えばトンネル等の掘削した部分の内面に設けられるセグメントの隣接するもの同士を一体に接合することができることになる。従って、隣接する二つのセグメントの接合が容易になるので、工期を大幅に短縮することができることになる。
さらに、巻取り部材を回転させて巻取り部材に索状部材を巻き取り、繰出し部材及びプーリーから索状部材を繰出させてプーリーと一体に雌ネジ部を回転させ、雌ネジ部を雄ネジ部に締め付け、嵌合部材を雄型継手に方向に引き込み、嵌合部材と被嵌合部材とを締結させることで、隣接する二つの部材、例えばトンネル等の掘削した部分の内面に設けられるセグメントの隣接するもの同士を一体に接合することができることになる。従って、隣接する二つのセグメントの接合が容易になるので、工期を大幅に短縮することができることになる。
さらに、隣接する二つの部材、例えば隣接する二つのセグメントを一体に接合した後に、強度を確保するために充填材を充填するような作業が一切不要であるので、これによって工期を大幅に短縮することができることになる。
【図面の簡単な説明】
【図１】  本発明による継手の一実施の形態を示した部分拡大断面図であって、隣接する二つの部材の接合前の状態を示した説明図である。
【図２】  本発明による継手の一実施の形態を示した部分拡大断面図であって、隣接する二つの部材の接合後の状態を示した説明図である。
【図３】  図２のＡ−Ａ線断面図である。
【図４】  図１及び図２の左側面図であって、締結手段の説明図である。
【図５】  図４の下面図である。
【図６】  一実施の形態による継手により隣接する二つの部材であるセグメント同士を一体に接合する場合の説明図であって、接合前の状態を示した説明図である。
【図７】  本発明による継手の一実施の形態の変形例を示した説明図である。
【図８】  本発明による継手の一実施の形態の他の変形例を示した説明図である。
【図９】  本発明による継手の一実施の形態の他の変形例を示した説明図である。
【図１０】  本発明による継手の他の実施の形態を示した説明図である。
【図１１】  従来の継手によって隣接する二つの部材であるセグメント同士を一体に接合する場合の説明図であって、接合前の状態を示した説明図である。
【符号の説明】
１  継手
２  雄型継手
３  嵌合部材
７  雄ネジ部
８  雄ネジ
９  締結手段
１０  雌ネジ部
１１  雌ネジ
１２  プーリー
１４  巻取り部材
１６  繰出し部材
１７  索状部材
１８  繰出し側索状部材
１９  巻取り側索状部材
２７  雌型継手
３２  被嵌合部材（被嵌合板）
３６  セグメント
４５  掴持手段
５０  係合手段
５４  掛着手段
【図１】
0003946543.tif 000002
【図２】
0003946543.tif 000003
【図３】
0003946543.tif 000004
【図４】
0003946543.tif 000005
【図５】
0003946543.tif 000006
【図６】
0003946543.tif 000007
【図７】
0003946543.tif 000008
【図８】
0003946543.tif 000009
【図９】
0003946543.tif 000010
【図１０】
0003946543.tif 000011
【図１１】
0003946543.tif 000012